(57)【要約】【課題】小型化が達成され、反射部材による反射効率及び放熱効果を向上させることができると共に、同時に低コストの装飾用ＬＥＤ光源装置の提供。【解決手段】本考案の装飾用ＬＥＤ光源装置Ａは、全方向に傾斜した反射部材４の中心部にＬＥＤ光源３を有し、該ＬＥＤ光源の上部に回転するカラーフィルター６を有するものからなり、前記カラーフィルター６の位置は、前記ＬＥＤ光源の中心から外方に偏移して設置され、かつ偏移して設置されたカラーフィルターの一部が前記光源装置の容器の側壁の一部に形成した膨らみ中の空間に存在するようにした構造である。前記反射部材４は、その裏面に接触した補助放熱部材１１を有する。前記ＬＥＤ光源は、一個のＬＥＤ光源、複数のＬＥＤ光源、面発光のＬＥＤ光源、有機ＬＥＤ光源が用いられる。【選択図】図２
0003166271.tif 000002
【実用新案登録請求の範囲】
【請求項１】
全方向に傾斜した反射部材の中心部にＬＥＤ光源を有し、該ＬＥＤ光源の上部に回転するカラーフィルターを有する装飾用ＬＥＤ光源装置からなり、前記カラーフィルターの位置は、前記ＬＥＤ光源の中心から外方に偏移して設置され、かつ偏移して設置されたカラーフィルターの一部が前記光源装置の容器の側壁の一部に形成した膨らみ中の空間に存在するようにした構造であることを特徴とする小型化された装飾用ＬＥＤ光源装置。
【請求項２】
前記反射部材は、放熱性を有すると共に、該反射部材の裏面に接触して放熱部材を有することを特徴とする請求項１に記載の装飾用ＬＥＤ光源装置。
【請求項３】
前記カラーフィルターの中心には回転軸を有し、かつ反射部材を貫通して駆動装置と連結していることを特徴とする請求項１又は請求項２に記載の装飾用ＬＥＤ光源装置。
【請求項４】
前記ＬＥＤ光源は、一個のＬＥＤ光源からなることを特徴とする請求項１乃至請求項３のいずれかに記載の装飾用ＬＥＤ光源装置。
【請求項５】
前記ＬＥＤ光源は、複数のＬＥＤ光源からなることを特徴とする請求項１乃至請求項３のいずれかに記載の装飾用ＬＥＤ光源装置。
【請求項６】
前記ＬＥＤ光源は、面発光のＬＥＤ光源からなることを特徴とする請求項１乃至請求項３のいずれかに記載の装飾用ＬＥＤ光源装置。
【請求項７】
前記ＬＥＤ光源は、有機ＬＥＤ光源からなることを特徴とする請求項１乃至請求項３のいずれかに記載の装飾用ＬＥＤ光源装置。
【請求項８】
前記側壁の一部に設けられた空間は、装置本体の一部に形成されたフランジと筒体の一部に形成されたフランジとで構成されていることを特徴とする請求項１乃至請求項７のいずれかに記載の装飾用ＬＥＤ光源装置。
【請求項９】
前記筒体には、光ファイバー集束−体固定部材を有する請求項１乃至請求項８のいずれかに記載の装飾用ＬＥＤ光源装置。
【考案の詳細な説明】
【技術分野】
【０００１】
本考案は、装飾用ＬＥＤ光源装置に関するもので、更に詳しくは、小型化され、かつ反射かつ放熱に優れた反射部材を有する装飾用ＬＥＤ光源装置に関する。
【背景技術】
【０００２】
近年、光を装飾的に使用するための光源装置は、通常の電球から発光ダイオード（ＬＥＤ）に変わりつつある中、この発光ダイオード、即ちＬＥＤは、消費電力も従来の電球に比べて少なく、工業用はもちろんのこと、一般家庭でも電球として使用されるようになった。このような中で装飾用ＬＥＤからなるライト光源は、大型のものから小型のものまで、種々知られている。その一例を挙げると、クリスマスツリーに用いられるライト光源で、この光源は鉢状ケース内に回転可能なカラーフィルターを通して得られた各種の色の光を光学繊維、即ち光ファイバー群へ照射するための、いわゆる装飾用光源が記載され、具体的には、豆電球、蛍光灯、放電ランプ、発光ダイオード（ＬＥＤ）等があることも示されており、これらの光源を使用した装飾用ＬＥＤ光源装置についても記載されている（例えば、特許文献１参照）。また本特許出願人が出願したクリスマスツリーにおいて、光ファイバーの端部に少なくとも一色又は多色に発光するＬＥＤが複数個配置され、一部重ね合わせて色の合成を可能としたＬＥＤ光源を有する光ファイバー装飾装置及びこれを使用したものが公開され、かつ特許となっている（例えば、特許文献２参照）。
【先行技術文献】
【特許文献】
【０００３】
【特許文献１】実開昭６０−７９３８３号公報（明細書第６頁第２行〜第８行、同第７頁８行〜第９行、第１図、第１２図）
【特許文献２】特開２００３−３１７５１６号公報（段落０００７、段落００１２、図１６）
【考案の概要】
【考案が解決しようとする課題】
【０００４】
しかしながら、前述の如き特許文献１に記載されている如きクリスマスツリーに用いられるライト光源は、ＬＥＤの発光光源が用いられているものの、鉢状ケースが大きく、またケースを小型化する場合でも、カラーフィルターの直径より小さくすることが不可能であるという問題があり、また特許文献２に記載の光ファイバー装飾装置では、直接ＬＥＤの発光光源を用いているため、小型化が可能である点で好ましいが、発光制御装置を用いてこれらの光源を前後、左右、斜め、上下に移動、往復移動乃至規則、不規則に回転して１色又は多色乃至カラー色に発色させる点で、その機構が複雑となり、また高コスト化等の問題があるばかりでなく、照度や放熱が考慮されていないという問題がある。
【０００５】
これに対して本考案者は、小型化されることはもちろんのこと、照度を向上させ、かつ十分な放熱性が得られることを考慮して種々検討したところ、（１）全方向に傾斜した反射部材の中心部にＬＥＤ光源を有すること、（２）カラーフィルターの位置は、前記ＬＥＤ光源の中心から外方に偏移して設置され、かつ偏移したカラーフィルターが覆われるように前記装飾用ＬＥＤ光源装置の容器の側壁の一部に空間を設けた構造を有するのがよいという知見を見出し、この知見に基づいて本考案はなされた。したがって、本考案が解決しようとする課題は、小型化が達成され、反射部材による反射効率及び放熱効果を向上させることができると共に、同時に低コストの装飾用ＬＥＤ光源装置を提供することにある。
【課題を解決するための手段】
【０００６】
本考案の上記各課題は、以下の各考案によってそれぞれ達成される。
【０００７】
（１）全方向に傾斜した反射部材の中心部にＬＥＤ光源を有し、該ＬＥＤ光源の上部に回転するカラーフィルターを有する装飾用ＬＥＤ光源装置からなり、前記カラーフィルターの位置は、前記ＬＥＤ光源の中心から外方に偏移して設置され、かつ偏移して設置されたカラーフィルターの一部が前記光源装置の容器の側壁の一部に形成した膨らみ中の空間に存在するようにした構造であることを特徴とする小型化された装飾用ＬＥＤ光源装置。
（２）前記反射部材は、放熱性を有すると共に、該反射部材の裏面に接触して補助放熱部材を有することを特徴とする前記第１項に記載の装飾用ＬＥＤ光源装置。
（３）前記カラーフィルターの中心には回転軸を有し、かつ反射部材を貫通して駆動装置と連結していることを特徴とする前記第１項又は第２項に記載の装飾用ＬＥＤ光源装置。
（４）前記ＬＥＤ光源は、一個のＬＥＤ光源からなることを特徴とする前記第１項乃至第３項のいずれかに記載の装飾用ＬＥＤ光源装置。
（５）前記ＬＥＤ光源は、複数のＬＥＤ光源からなることを特徴とする前記第１項乃至第３項のいずれかに記載の装飾用ＬＥＤ光源装置。
（６）前記ＬＥＤ光源は、面発光のＬＥＤ光源からなることを特徴とする前記第１項乃至第３項のいずれかに記載の装飾用ＬＥＤ光源装置。
（７）前記ＬＥＤ光源は、有機ＬＥＤ光源からなることを特徴とする前記第１項乃至第３項のいずれかに記載の装飾用ＬＥＤ光源装置。
（８）前記側壁の一部に設けられた空間は、装置本体の一部に形成されたフランジと筒体の一部に形成されたフランジとで構成されていることを特徴とする前記第１項乃至第７項のいずれかに記載の装飾用ＬＥＤ光源装置。
（９）前記筒体には、光ファイバー集束一体固定部材を有する前記第１項乃至第８項のいずれかに記載の装飾用ＬＥＤ光源装置。
【考案の効果】
【０００８】
本考案の第１項に記載の装飾用ＬＥＤ光源装置によれば、全方向に傾斜した反射部材の中心部にＬＥＤ光源を有することにより、ＬＥＤ光源からの光は、反射部材で反射し、輝度乃至照度が向上すると共に、該反射部材に放熱性がある材料を使用することにより、反射部材の反射効率を向上乃至維持しつつ、放熱性能を向上させることができるという優れた効果が得られる。またカラーフィルターの位置は、前記ＬＥＤ光源の中心から外方に偏移して設置され、かつ偏移したカラーフィルターが覆われるように前記装飾用ＬＥＤ光源装置の容器の側壁の一部に空間を設けた構造、即ち偏移して設置されたカラーフィルターの一部が前記光源装置の容器の側壁の一部に形成した膨らみ中の空間に存在するようにした構造を有するので、小型化された構造が得られ、かつ同時に回転可能なカラーフィルターとＬＥＤ光源からなる簡単な構造の装飾用ＬＥＤ光源装置であることから、低コストで製作できるという優れた効果を奏するものである。また上記の本考案の第２項に記載の装飾用ＬＥＤ光源装置は、前記第１項記載の反射部材が、放熱性を有すると共に、該反射部材の裏面に接触して補助放熱部材を有することにより、放熱部材の熱が、更に裏面に接触している補助放熱部材からも放熱され、いっそう優れた放熱性能が得られるという優れた効果を奏するものである。
【０００９】
上記の本考案の第３項に記載の装飾用ＬＥＤ光源装置は、前記第１項記載のカラーフィルターの中心には回転軸を有し、かつ反射板を貫通して駆動装置と連結していることにより、容易に小型化された装飾用ＬＥＤ光源装置が得られる。また上記の本考案の第４項に記載の装飾用ＬＥＤ光源装置は、前記第１項記載のＬＥＤ光源は、一個のＬＥＤ光源からなることにより、反射部材による反射効果で照度が向上すると共に放熱性にも寄与するという優れた効果を奏するものである。上記の本考案の第５項に記載の装飾用ＬＥＤ光源装置は、前記第１項乃至第３項のいずれかにおいて、前記ＬＥＤ光源は、複数のＬＥＤ光源からなることにより、照度の向上はもちろんのこと、全方向に反射部材により放熱性能も極めて良好であるという優れた効果を奏するものである。
【００１０】
上記の本考案の第６項に記載の装飾用ＬＥＤ光源装置は、前記第１項乃至第３項のいずれかにおいて、前記ＬＥＤ光源は、面発光のＬＥＤ光源からなることにより、取り付けが簡単であると共に裏面からの放熱性に優れたものが得られる。上記の本考案の第７項に記載の装飾用ＬＥＤ光源装置は、前記第１項乃至第３項のいずれかにおいて、前記ＬＥＤ光源は、有機ＬＥＤ光源からなることにより、取り付けが簡単かつ経済的であると共に裏面からの放熱性に優れたものが得られる。上記の本考案の第８項に記載の装飾用ＬＥＤ光源装置は、前記第１項乃至第７項のいずれかにおいて、前記側壁の一部に設けられた空間は、装置本体の一部に形成されたフランジと筒体の一部に形成されたフランジとで構成されていることにより、装飾用ＬＥＤ光源装置の容器を小型化できるので、クリスマスツリーの根本に設置するばかりでなく該クリスマスツリーの中間部などいくつかの場所に同時に設置することができるという優れた効果を奏するものである。
【００１１】
上記の本考案の第９項に記載の装飾用ＬＥＤ光源装置は、前記筒体には、光ファイバー集束一体固定部材を有する前記第１項乃至第８項のいずれかに記載の装飾用ＬＥＤ光源装置からなることにより、効率的に光ファイバーへＬＥＤ光源を導入することができる。更に本考案では、装飾用ＬＥＤ光源装置は、反射部材に放熱構造を有するので、反射部材の反射効率を向上乃至維持しつつ、放熱効果を向上させることができるばかりでなく、同時にコスト削減にも寄与するという優れた効果を奏するものである。
【図面の簡単な説明】
【００１２】
【図１】本考案の装飾用ＬＥＤ光源装置を示す平面図である。
【図２】本考案の装飾用ＬＥＤ光源装置を示す略断面図である。
【図３】本考案に用いられるＬＥＤを有する反射部材の平面と断面を示す図面である。
【図４】本考案に用いられる補助放熱部材を有する反射部材を示す断面図である。
【図５】本考案に用いられる放熱部材の形状を示す平面図である。
【図６】本考案の装飾用ＬＥＤ光源装置の反射部材の表面形状を示す部分斜視図である。
【図７】図６に示す反射部材の別の例を示す部分斜視図である。
【図８】本考案の装飾用ＬＥＤ光源装置の反射部材の別の構造を示す部分断面図である。
【図９】図８に示す反射部材の別の例を示す部分斜視図である。
【図１０】本考案の装飾用ＬＥＤ光源装置の反射部材の別の構造を示す部分平面図である。
【図１１】本考案の装飾用ＬＥＤ光源装置の反射部材の表面に設けられる突起の形状の一部を示す部分斜視図である。
【図１２】本考案に用いられるＬＥＤ光源と反射部材との位置関係を示す略断面図である。
【図１３】本考案に用いられるＬＥＤ光源と反射部材とのその他の位置関係を示す略断面図である。
【図１４】本考案に用いられるカラーフィルターの一例を示す平面図である。
【考案を実施するための形態】
【００１３】
以下に、本考案の実施の形態を図面で説明するが、本考案は、これに限定されるものではない。本考案は、全方向に傾斜した反射部材の中心部にＬＥＤ光源を有し、該ＬＥＤ光源の上部に回転するカラーフィルターを有する装飾用ＬＥＤ光源装置からなり、前記カラーフィルターの位置は、前記ＬＥＤ光源の中心から外方に偏移して設置され、かつ偏移して設置されたカラーフィルターの一部が前記光源装置の容器の側壁の一部に形成した膨らみ中の空間に存在するようにした構造であることを特徴とする小型化された装飾用ＬＥＤ光源装置である。ここで、前記光源装置の容器の側壁の一部に形成した膨らみ中の空間に存在するようにした構造とは、容器本体１の開口部に形成された下部フランジ８と筒体１０の下端に形成された上部フランジ７との間に形成された空間にカラーフィルター６の円周部が存在する状態をいうものである。
【００１４】
図１及び図２において、本考案の装飾用ＬＥＤ光源装置Ａは、容器本体１と筒体１０とからなり、容器本体１及び筒体１０は、断面円形状、楕円形等であっても、角形、例えば、断面三角形乃至同六角形等がよく、好ましくは、断面円形状、断面四角形がこのましい。この容器本体１中には、主にＬＥＤ３を中心に配置すると共にその反射部材４、回転可能なカラーフィルター６、下部に設けられたモーター２を有し、該モーター２の軸５の先端にカラーフィルター６が設けられている。カラーフィルターの形状は、特に限定されないが、円形が好ましい。またカラーフィルター６は、少なくともＬＥＤ３上にくるように配置されるのが好ましく、カラーフィルター６が回転したとき、カラーフィルター６のカラー模様の各色に遭遇する位置が好ましい。なお、カラーフィルター６のカラー模様については後述する。
【００１５】
またカラーフィルター６の回転軸５は、ＬＥＤ３を搭載した反射部材４の一面を貫通（１５）してモーター２の軸に接続している。反射部材４の下部に補助放熱部材１１を有するが、この補助放熱部材１１はあってもなくても良い。補助放熱部材１１を有する場合は、同様に補助放熱部材１１の一面を貫通してモーター２の軸に接続するのが好ましい。ここで、前記の装飾用ＬＥＤ光源装置の容器１は、小型化するために、中に収納する各種部品を効率的に配置する必要があり、そのためにカラーフィルター６は、一部容器の外にはみ出すという問題があったので、このはみ出したカラーフィルター６部分を容器の一部で覆う構造を考案した。即ち、カラーフィルター６の位置は、前記ＬＥＤ光源３の中心から外方に偏移して設置され、かつ偏移したカラーフィルター６が容器の壁で覆われるように前記装飾用ＬＥＤ光源装置の容器本体１に取り付けられる筒体１０の側壁の一部で上フランジ７を形成し、また容器本体１の側壁の一部に下フランジ８を形成し、これら上フランジ７と下フランジ８の間に空間を設け、この空間にカラーフィルター６の一部が覆われるように設置される。このような容器形態とすることにより、装飾用ＬＥＤ光源装置の小型化されるばかりでなく、反射部材４による反射効率及び放熱効果を損なうことなく小型化が達成されるという格別優れた効果を奏するものである。
【００１６】
また、図２、図３において、ＬＥＤ光源３としては、各種のものが用いられ、具体的には、一個のＬＥＤ光源、複数のＬＥＤ光源、面発光のＬＥＤ光源、有機ＬＥＤ光源等が用いられるが、これらのうち、面発光のＬＥＤ光源、有機ＬＥＤ光源が好ましい。複数のＬＥＤ光源は、基板上に複数のＬＥＤを搭載したものであり、また面発光のＬＥＤ光源は、絶縁層を介して設けられた２枚の導電層を含む積層体に斜面を設け、この両導電層間にＬＥＤを設けた構造からなる（特開２００２−３２９８９３）。更に有機ＬＥＤ光源は、発光層が有機化合物からなる発光ダイオード（ＬＥＤ）を構成しており、有機化合物中に注入された電子と正孔の再結合によって生じた励起子によって発光する、いわゆる有機ＥＬをいう。反射部材４としては、反射性能に優れたものであれば、特に限定されるものではないが、銀、アルミニウム、ステンレススチール等が挙げられる。図４において、反射部材４の形状は、すり鉢状に設けられ、その中央にＬＥＤ光源３を有する。反射部材４は、反射性能と放熱性能を有しているが、放熱性能を向上させるために、図４のａ、図５のａでは、反射部材４の底の裏面に接触して補助放熱部材１１を設けている。具体的には、補助放熱部材１１ａは、長方形のアルミニウム板が用いられている。これにより反射部材４からの熱が補助放熱部材１１ａに移行し、この補助放熱部材１１ａから熱放散され、放熱効果を促進する。図４のｂ、図５のｂは、設置面積を少なくするなか、放熱効果を増大させるために補助放熱部材１１ｂの両端を立ち上げる（立ち上げ部１１ｃ）ことによって放熱効果が促進される。図５のｃは、更に放熱効果を促進させるために、補助放熱部材１１ｄの両端をヒダ状部１１ｆが設けられている。１１ｇはヒダ状部を形成するための切込部１１ｅである。
【００１７】
更に反射部材４は、反射部材としての機能を維持しつつ、放熱効果をよりいっそう良好にするために、図６〜図１１には、放熱構造の部分図を示す。図６、図７は、ジグザグ型の凹凸部２１からなる。即ち、図６はでは、反射部材４の片面にジグザグ型の凹凸２１が設けられており、また図７では、該ジグザグ型の凹凸２１が反射部材４の両面に設けられている。これにより反射効率を維持しつつ、極めて良好な放熱効果が得られる。また反射部材４の片面又は両面に前記ジグザグ型の凹凸に代えて凸部が丸みを帯びた波型を設けてもよいことは言うまでもない。
【００１８】
更に図８では、反射部材４の全体が波型２２に形成されている。図９では、図８に示す波型２２に形成された反射部材４に更に貫通孔２３が設けられている。このように構成することにより光反射兼放熱フードの役割と共にいっそうの放熱効果を得ることができる。図１０は、反射部材４の表面にエンボス状凹凸模様２４を形成したものであり、放熱効果に優れていることはもちろんのこと、製造が簡単で、かつコスト削減にも寄与するという優れた効果を奏するものである。図１１は、反射部材４の表面に形成する突起の形状が、円柱型、角柱型、円錐型、角錐型、逆角柱型、逆円錐型及び逆角錐型のいずれかを少なくとも一面に有するものからなり、具体的には、円柱型は円柱ａである。この他楕円柱でもよい。角柱型には、ｂ又はｃがあり、例えば、断面が三角形ｃ、四辺形ｂ、長方形、五角形又は六角形などであってもよい。更に円錐型ｄ、角錐型には三角錐ｅ、四角錐ｆ、逆角錐型には、円錐台ｇ、逆三角錐ｈ、逆四角錐ｉなどが挙げられる。
【００１９】
図１２及び図１３は、本考案に用いられるＬＥＤ光源と反射部材との位置関係を示す略断面図である。なお、反射部材４において、ＬＥＤ光源３の背面、即ち反射部材４の閉塞部４１は、平面であっても曲面であってもよく、特に限定されるものではない。図１２のａは、円錐状反射部材４の閉塞部４１の中央にＬＥＤ光源３が位置している場合であり、図１２のｂは、２個又は２個以上の円錐状の閉塞部４１が側面で一部重複し、かつ重複部が欠如した形状である。図１２のｃは、反射部材４の側壁の一部が欠如した形状であり、図１２のｄ１は、円錐状反射部材４の開口面が内側に折り曲げられた形状（屈曲部）４２からなり、この屈曲部４２に少なくとも２個のＬＥＤ光源３を有している。また図１３のｄ２は、図１２のｄ１の形態において、鏡４３，４３が設けられている。これによりＬＥＤ光源３の光の方向を所望の方向に変更することができる。図１３のｅは、円錐状反射部材４の一部の側壁が垂直（４４，４４）に形成され、それぞれの円錐状反射部材４の閉塞部４１には、それぞれＬＥＤ光源３が設けられている。図１３のｆは、円筒状の反射部材４の閉塞部４１にＬＥＤ光源３を設けると共に筒体状体を適宜の方向に曲げた構造を有している。この際、屈曲部に鏡４３を設けてもよい。図１３のｇ１は、開口部が楕円形からなる円錐形の反射部材４であって、長手方向の側面４５（図１３のｇ２）からみた側断面図であり、長手方向の側面４５が垂直部４６を有する形状であり、図１３のｇ２は、Ａ−Ｂ線で切断したところをみた断面図である。この円錐状かつ開口部が楕円形の反射部材４の閉塞部４１には、少なくとも１個のＬＥＤ光源３を有してもよいが、この例では、２個のＬＥＤ光源３を有している。
【００２０】
本考案に用いられるカラーフィルター６は、図１４にその一例を示すが、これに限定されるものでなく、その表面に模様等が形成されるが、その模様等の種類は、特に限定されるものではない。この模様としては、１色から多色からなるものがよいが、好ましくは、黒色や透明な、赤色、青色及び黄色からなる三原色が好ましい。模様は、規則的、不規則、また直線や曲線で描かれたものでもよく、絵模様でも良い。図１４において、カラーフィルター６の素材は、透明板からなり、この表面に、黒色と、赤色、青色及び黄色からなる三原色の各色を設けることが好ましい。符号６１は、青色であり、符号６２は、赤色、符号６３は、黄色、符号６４は、赤色、符号６５は、緑色である。模様は、これに限らず、ツリーの各部分から発する光色にしたがって各色の配置を決定することができる。本考案の装飾用ＬＥＤ光源装置には、前述の如く容器本体１内に各部品を取り付けた後、筒体１０の固定部１３をネジ１４で締め付けて固定する。容器本体１に取り付けられた筒体１０には、蓋体１２が密着して嵌合される。更にこの蓋体１２の中央部には、光ファイバー集束体（図示せず）の基端部が挿入される。先端部は、ツリーなどの幹や枝又はそれらの先端から露出されて光が放出される。
【００２１】
本考案の装飾用ＬＥＤ光源装置は、スイッチを入れてモータ２を稼動することによって回転軸５が回転してその先端に取り付けられているカラーフィルター６が回転する。ＬＥＤ光源が反射部材により反射され、この回転によって所望の色が、カラーフィルター６を通じて光ファイバー集束体の基端部から導入され、更にツリーの各部分、例えば、幹、枝、更にそれらの先端へ配分された光ファイバーの先端から放出されてクリスマスツリーの装飾効果を一段と良好なものとすることができる。更に反射部材４は、長時間、ＬＥＤ光源を使用し続けると熱が蓄積するが、この熱は反射部材４のアルミニウム素材により吸収されて放熱されると共に、更にこの反射部材４は補助放熱部材１１と接触しているために、反射板４の熱の一部は補助放熱部材１１へ移行し放散される。なお、電源（図示していない。）としては、外部電源を用いることにより、長時間の作動が可能であり好ましいが、内部電源として、電池や蓄電池を用いてもよいことは明らかである。更にクリスマスツリー等を野外に設置する場合、モーターの駆動原としての電気は、太陽光パネルを用いることができる。この場合、クリスマスツリーへの取付は、太陽光パネルに好ましい取付位置へ取り付けることはいうまでもない。
【産業上の利用可能性】
【００２２】
本考案では、前述の如き作用効果を発揮するので、その用途としては、クリスマスツリー用装飾光源として最良であると共に、更にその他家庭用、店舗用など各種の用途に装飾用光源としても広く使用することができ、実用上極めて有用な装飾用ＬＥＤ光源装置である。
【符号の説明】
【００２３】
Ａ  装飾用ＬＥＤ光源装置
１  容器本体
２  モータ（駆動装置）
３  ＬＥＤ光源
４  反射部材
５  回転軸
６  カラーフィルター
７  上部フランジ
８  下部フランジ
９  取付片
１０  筒体
１１  補助放熱部材
１１ａ  板状体
１１ｂ  立上り部を有する補助放熱部材
１１ｃ  立上り部
１１ｄヒダを有する補助放熱部材
１１ｅ  切込部
１１ｆ  ヒダ
１２  蓋体
１３  固定部
１４  ネジ（固定部材）
１５  透孔
１６  空気流通口
１７  光ファイバー集束体固定部
２１  ジグザグ型の凹凸部
２２  波型
２３  貫通孔
２４  エンボス状凹凸模様
６１  青色                    
６２、６４  赤色
６３  黄色
６５  緑色
ａ  円柱
ｂ、ｃ  角柱
ｄ  円錐型
ｅ  三角錐
ｆ  四角錐
ｇ  逆円錐台
ｈ  逆三角錐
ｉ  逆四角錐
【図１】
0003166271.tif 000003
【図２】
0003166271.tif 000004
【図３】
0003166271.tif 000005
【図４】
0003166271.tif 000006
【図５】
0003166271.tif 000007
【図６】
0003166271.tif 000008
【図７】
0003166271.tif 000009
【図８】
0003166271.tif 000010
【図９】
0003166271.tif 000011
【図１０】
0003166271.tif 000012
【図１１】
0003166271.tif 000013
【図１２】
0003166271.tif 000014
【図１３】
0003166271.tif 000015
【図１４】
0003166271.tif 000016